(57)【要約】【課題】圧力センサが配置されたセンサーシートであって、異なるサイズのセンサーシートを備えた装置を低コストで提供可能とする。【解決手段】シートアセンブル４を構成する各々のセンサーシート１〜３には、圧力センサ５が配置されたデータ入出力領域１５と、この上側１５ａに配置された配線領域１６とがあり、配線領域１６に、データ入出力領域１５からシートの右縁１１に延びる第１の配線２１と、右縁１１から左縁１２に延びる第２の配線２２および第３の配線２３とが形成されている。これらの拡張用の配線２２および２３により、２つまたは３つのセンサーシートを連接することができ、各々のセンサーシートからの出力を、これらの配線２２および２３を介して制御ユニット５１に供給することができる。したがって、大きなサイズのセンサーシートを小さいサイズのセンサーシートを組み合わせることにより簡単に製造できる。【選択図】　　　　図２
2004024726.tif 000002
【特許請求の範囲】
【請求項１】
データを入力および／または出力可能な機能を備えたデータ入出力領域と、このデータ入出力領域の少なくともいずれか一方の縁に沿って配置された配線領域とが形成されたシート材を有するデータ入出力ユニットであって、
前記配線領域に、前記データ入出力領域から前記シート材の第１の縁まで延びた第１の配線と、
前記データ入出力領域には接続されずに、前記シート材の前記第１の縁から、この第１の縁に対峙する第２の縁に延びた第２の配線とが配置されているデータ入出力ユニット。
【請求項２】
請求項１において、前記第２の配線は、前記第１の配線を挟んで前記データ入出力領域の反対側に配置されているデータ入出力ユニット。
【請求項３】
請求項２において、前記第１の縁では前記第１および第２の配線が並列に配置され、前記第２の縁では前記第２の配線が、前記第１の縁における前記第１の配線の位置に対応する位置に配置されているデータ入出力ユニット。
【請求項４】
請求項３において、前記配線領域に、前記データ入出力領域には接続されずに、前記シート材の前記第１の縁から前記第２の縁に延びた第３の配線がさらに配置されており、
この第３の配線は、前記第２の配線を挟んで前記データ入出力領域の反対側に配置され、前記第１の縁では前記第１、第２および第３の配線が並列に配置され、前記第２の縁では当該第３の配線が、前記第１の縁における前記第２の配線の位置に対応する位置において当該第２の配線と並列に配置されているデータ入出力ユニット。
【請求項５】
請求項１において、前記シート材の対峙する縁には内側に窪んだ部分が設けられているデータ入出力ユニット。
【請求項６】
請求項１において、前記データ入出力領域には複数個の圧力センサが配置されているデータ入出力ユニット。
【請求項７】
請求項１に記載のデータ入出力ユニットと、
前記第１の縁において、前記第１および第２の配線に接続された制御ユニットとを有するデータ入出力装置。
【請求項８】
請求項１に記載のデータ入出力ユニットを複数有し、これらデータ入出力ユニットの第１のデータ入出力ユニットの前記第２の縁が第２のデータ入出力ユニットの前記第１の縁と繋がり、前記第２のデータ入出力ユニットの前記第１の配線が前記第１のデータ入出力ユニットの前記第２の配線と接続されており、
前記第１のデータ入出力ユニットの前記第１の縁に、前記第１および第２の配線に接続された制御ユニットをさらに有するデータ入出力装置。
【請求項９】
請求項８において、前記第１および第２のデータ入出力ユニットの前記第２の配線は、前記第１の配線を挟んで前記データ入出力領域の反対側に配置されているデータ入出力装置。
【請求項１０】
請求項９において、前記第１および第２のデータ入出力ユニットの前記第１の縁では前記第１および第２の配線が並列に配置され、前記第２の縁では前記第２の配線が、前記第１の縁における前記第１の配線の位置に対応する位置に配置されているデータ入出力装置。
【請求項１１】
請求項１０において、さらに、第３のデータ入出力ユニットを有し、これら第１、第２および第３のデータ入出力ユニットの前記配線領域には、前記データ入出力領域には接続されずに、前記第１の縁から前記第２の縁に延びた第３の配線であって、前記第２の配線を挟んで前記データ入出力領域の反対側に配置され、前記第１の縁では前記第１、第２および第３の配線が並列に配置され、前記第２の縁では当該第３の配線が、前記第１の縁における前記第２の配線の位置に対応する位置に当該第２の配線と並列に配置されている第３の配線を備えており、
前記第３のデータ入出力ユニットの前記第１の縁における前記第１の配線が前記第２のデータ入出力ユニットの前記第２の縁における前記第２の配線に接続され、さらに、当該第２のデータ入出力ユニットの前記第１の縁における前記第２の配線が前記第１のデータ入出力ユニットの前記第２の縁における前記第３の配線に接続されているデータ入出力装置。
【請求項１２】
請求項７において、前記第１のデータ入出力ユニットの前記シート材の対峙する縁には、内側に窪んだ部分が設けられているデータ入出力装置。
【発明の詳細な説明】
【０００１】
【発明の属する技術分野】
本発明は、寝具に敷設して就寝者の呼吸状態を検出するためのセンサーシートなどに用いられるシート状のデータ入出力ユニットに関するものである。
【０００２】
【従来の技術】
シート状のデータ入出力ユニットとして、シート材に圧電センサが複数個並べられたセンサーシートが知られている。このセンサーシートをベッドなどの寝具に敷設し、複数の圧電センサの出力を処理または解析することにより、就寝者の呼吸に応じた圧力の変化から就寝者の呼吸状態を監視することが可能である。したがって、病院などで重篤患者の呼吸の有無を検出して緊急時に備えたり、睡眠時に無呼吸症候群の疑いのある患者の無呼吸回数の計測をすることができる。また、呼吸状態だけでなく、圧力センサの出力から寝ている姿勢（寝姿勢）や在離床状況なども検出または監視できるので、患者がベッドから転落したことを検知することも可能であり応用範囲は広い。
【０００３】
【発明が解決しようとする課題】
寝具、たとえば、ベッドであれば、シングル、セミダブル、ダブルなど、サイズは様々である。このため、これらのベッドの表面をカバーするためには、それぞれのベッドサイズにあった大きさのセンサーシートが必要になる。しかしながら、様々なサイズのセンサーシートは、汎用性に欠け、さらに、各々のサイズのセンサーシートを製造するために異なる型などの設備を準備する必要があるので、一つ一つのセンサーシートの製造コストが高くなり、手軽に利用できる価格レベルでデータ入出力装置を提供できない。
【０００４】
大きなサイズのセンサーシートを汎用品として提供し、小さなサイズが要求されるときは、それを折り曲げて使用するという方法もある。しかしながら、センサーシートを折り曲げてしまうと、センサーシートに取り付けられた圧力センサ同士が重なって、得られるデータの解析が困難となる。また、圧力センサの感度が低下することも考えられ、センサーシートの性能が低下してしまう可能性が高い。加えて、大きなセンサーシートは小さなセンサーシートに比べて当然に高価であり、小さなセンサーシートでよい目的に大きなセンサーシートは経済的ではない。さらに、大きなセンサーシートであると搭載されるセンサの数も多くなるので歩留まりが低下する可能性が高く、この点でも経済的な解決方法ではない。
【０００５】
そこで、本発明においては、経済的なセンサーシートなどのデータ入出力領域を備えたシート材であって、異なるサイズが要望される目的に対し、汎用性があり、低コストで供給できるシート材を提供することを目的としている。さらに、大きなサイズのシート材をさらに低コストで提供することを目的としている。そして、センサーシートなどのシート材を用いたデータ入出力装置であって、さらに手軽に利用することができる低コストなデータ入出力装置を提供することを目的としている。
【０００６】
【課題を解決するための手段】
このため、本発明においては、サイズの小さなシート材を有するデータ入出力ユニットを提供し、複数のデータ入出力ユニットを接続することにより大きな面積もカバーできるようにしている。この方法であると、小さなサイズでよいときは低コストで済み、さらに、各々の入出力ユニットはサイズが小さいので歩留まりも良く低コストで供給できる。したがって、これらを繋ぎ合わせることにより大きなサイズの入出力ユニットを構成することにより、同じサイズを一枚で製造する場合よりも低コストで信頼性の高い入出力ユニットを提供できる。
【０００７】
しかしながら、小さなサイズのシート材を備えたデータ入出力ユニットを繋ぎ合わせて大きくする場合は、配線が問題となる。各々のデータ入出力ユニットとそれらを管理する制御ユニットとを配線で接続するだけではあるが、その配線を準備する必要があるし、ベッドに敷いたときに配線が邪魔になる。したがって、所望のサイズにするのに手間がかかるし、配線の処理も問題であり、小さなサイズのシート材を組み合わせるという手法は採用されていない。
【０００８】
そこで、本発明においては、シート材を接続する配線もシート材に配置することによりこの問題を解決している。すなわち、本発明においては、データを入力および／または出力可能な機能を備えたデータ入出力領域と、このデータ入出力領域の少なくともいずれか一方の縁に沿って配置された配線領域とが形成されたシート材を有するデータ入出力ユニットであって、配線領域に、データ入出力領域からシート材の第１の縁まで延びた第１の配線と、データ入出力領域には接続されずに、シート材の第１の縁から、この第１の縁に対峙する第２の縁に延びた第２の配線とが配置されているデータ入出力ユニットを提供する。
【０００９】
本発明のデータ入出力ユニットでは、シート材に配線領域を設け、そこにデータ入出力領域に接続された第１の配線に加えて、データ入出力領域に接続されない第２の配線を配置してある。このため、新たな配線材がなくてもシート材の第２の配線を使用することにより、他のデータ入出力ユニットのシート材を接続し、シート材がカバーする面積を大きくすることができる。したがって、小さな面積のシート材を備えたデータ入出力ユニットを単位とし、手軽に面積の拡大を図ることができるので、汎用性があり、歩留まりも良く、低コストで信頼性も高く、フレキシブルにシート材の面積を変更できるデータ入出力ユニットを提供できる。
【００１０】
さらに、第２の配線はシート材をスルーしているだけなので、第１のデータ入出力ユニットの第２の配線を用いて第２のデータ入出力ユニットを接続すると、第１のデータ入力ユニットにだけ制御ユニットを配置したデータ入出力装置を提供できる。すなわち、本発明のデータ入出力装置は、データ入出力ユニットを複数有し、これらデータ入出力ユニットの第１のデータ入出力ユニットの第２の縁が第２のデータ入出力ユニットの第１の縁と繋がり、第２のデータ入出力ユニットの第１の配線が第１のデータ入出力ユニットの第２の配線と接続される。このため、第１のデータ入出力ユニットの第２の縁に、第１および第２の配線に接続された制御ユニットを設けることにより、第１および第２のデータ入出力ユニットのデータ入出力領域からそれぞれのデータを共通の制御ユニットが受信したり、各々のユニットのデータ入出力領域に共通の制御ユニットからデータを出力することが可能となる。
【００１１】
第２の配線を第１の配線に重ねても良いが、第２の配線を、第１の配線を挟んでデータ入出力領域の反対側に配置することにより、これら第１および第２の配線を交差することなく平面的に配置できる。したがって、配線領域も非常に薄く形成することができ、これら第１および第２の配線をシート材に一体化することにより配線がずれる恐れもない。このため、シート材がベッドに敷かれるような用途、たとえば、上述したセンサーシートであっても、配線の違和感を出来る限り抑えることができる。
【００１２】
さらに、第１の縁では第１および第２の配線が並列に配置され、第２の縁では第２の配線が、第１の縁における第１の配線の位置に対応する位置に配置されていることが望ましい。このシート材であると、第１および第２のデータ入出力ユニットをシート材の第１の縁と第２の縁とが向かい合うように配置することにより、第２のデータ入出力ユニットの第１の配線と、第１のデータ入出力ユニットの第２の配線とが自動的に向かい合う位置になる。したがって、これらの配線をきわめて簡単に、無理なく接続できる。
【００１３】
また、データ入出力ユニットのシート材の配線領域に、データ入出力領域には接続されずに、シート材の第１の縁から第２の縁に延びた第３の配線をさらに配置することが可能であり、同様に、第４の配線以上を配置することができる。このように、データ入出力領域に接続されない配線を増やすことにより、３枚目あるいは４枚目以上のシート材を上記と同様に簡単に接続することができる。したがって、複数のデータ入出力ユニットのシート材を接続することにより、シート材によりカバーされる面積をフレキシブルに変更することができるデータ入出力装置を提供できる。そして、複数のデータ入出力ユニットは、全て１つの制御ユニットにより制御したり、データを入出力することができる。
【００１４】
本発明のデータ入出力ユニットの１つの例は、シート材のデータ入出力領域に複数の圧力センサが配置されたセンサーシートであり、ベッドサイズや、赤ん坊や成人などの被験者の体格にあったサイズのデータ入出力装置を低コストで提供できる。本発明のデータ入出力ユニットは、圧力センサーシートだけでなく、データ入出領域に他のセンサが配置されたセンサーシートや、ＥＬなどのデータ出力素子が配置されたシートタイプのデータ入出力装置などにおいても有用である。
【００１５】
また、データ入出力ユニットのシート材には、対峙する縁に内側に窪んだ部分を設けることが望ましい。この窪んだ部分でデータ入出力ユニットを折り曲げることにより、使用しないときはコンパクトな状態で収納したり、携帯できる。
【００１６】
【発明の実施の形態】
以下に図面を参照して本発明をさらに詳しく説明する。図１に本発明に係るデータ入出力ユニットとして、シート材に圧電素子を用いた圧力センサ（圧電センサ）を配置したセンサーシートの例を示してある。また、図１では、３枚のセンサーシート１、２および３を図面の横方向に接続して一枚の大きなセンサーシート（シートアセンブル）４を形成し、データ入出力装置の１つである生体情報検出装置５０を構築している。図２に、本例の生体検出装置５０の平面を拡大して示してある。この生体情報検出装置５０は、シートアセンブル４をセミダブルベッド５５に敷設し、就寝者（被験者）６０の呼吸状態やその他の圧力センサでセンシング可能な情報を検出し、制御ユニット５１で各々の圧力センサから信号を集めて患者の状態を監視するための装置である。このため、制御ユニット５１は、圧電センサ５のそれぞれの出力を記録したり、外部のパーソナルコンピュータに出力する機能を備えており、さらに、圧電センサ５からの信号を解析して呼吸状態を判定する機能を与えることも可能である。
【００１７】
図３に生体情報検出装置５０のシートアセンブル４の断面図を示してある。シートアセンブル４は、所望のサイズでフレキシブルなベースシート６１をコアとして形成されており、その表面６１ａに３枚のセンサーシート１、２および３が両面テープなどにより貼り付けられている。さらに、センサーシート１、２および３はベースシート６１に貼り付けられた状態で袋状のシートカバー６２によって覆われ、シートアセンブル４となっている。このシートアセンブル４の一方の端に制御ユニット５１が取り付けられている。
【００１８】
図２に示した各々のセンサーシート１、２および３は同一の構成であり、その１つを図４に抜き出して示してある。各々のセンサーシート１〜３は、ベッド５５の長手方向に長いほぼ長方形であり、３枚のセンサーシートがベッド５５の幅方向（横方向）に数珠繋ぎで接続されて、ベッド５５の幅方向に長いシートアセンブル４を構成している。
【００１９】
図４を参照しながら、第１のセンサーシート１を代表して説明する。本例のセンサーシート１は、全体がほぼ長方形をしたシート材１０であり、複数の圧電センサ５が敷き詰められたデータ入出力領域１５と、このデータ入出力領域１５の上側１５ａに沿って配置された配線領域１６とを備えている。配線領域１６には３つのプリント配線２１、２２および２３が平面方向に並べて配置されている。これらの配線２１、２２および２３は、シート材１０に電極パターンを印刷したり、フレキシブルケーブルを貼り付けたりすることにより形成できる。
【００２０】
第１の配線２１は、データ入出力領域１５の上側１５ａの中央からシート材１０の図面上右側の縁（第１の縁）１１に延びている。この第１の配線２１は複数の配線が並列に並んだ配線群であり、各々の配線はデータ入出力領域１５に配置された複数の圧電センサ５のそれぞれと繋がっている。したがって、第１の配線２１を介して、各々の圧電センサ５の出力を外部に取り出すことができる。
【００２１】
第２の配線２２は、シート材１０の右縁１１から、それに対峙する左縁１２（第２の縁）に延びる配線であり、データ入出力領域１５には接続されていない。すなわち、第２の配線２２は、拡張用の配線である。この第２の配線２２は、第１の配線２１を挟んでデータ入出力領域１５の反対側に配置され、第１の配線２１に隣接する部分は、第１の配線２１に平行に配置されている。第１の配線２１から外れる部分、すなわち、データ入出力領域１５の上側１５ａの中央付近から左端１２までは、データ入出力領域１５の側に緩く曲がり、第１の配線２１と直線上に並ぶよう配置されている。このため、第２の配線２２の左端２２ｂは、第１の配線２１の右端２１ａと向かい合った位置となる。
【００２２】
第３の配線２３は、シート材１０の右縁１１から左縁１２に延びる配線であって、データ入出力領域１５には接続されない配線である。この第３の配線２３も拡張用の配線である。この第３の配線２３は、第２の配線２２のさらに外側に、第２の配線２２と並列に配置されている。したがって、第３の配線２３の左端２３ｂは、第２の配線２２の右端２２ａと向かい合った位置となる。このため、シート材１０の右縁１１では、第３の配線２３の端２３ａ、第２の配線２２の端２２ａおよび第１の配線の端２１ａが等間隔で並んで配置され、左縁１２では、第３の配線２３の端２３ｂおよび第２の配線２２の端２２ｂが、右縁１１の第２の配線２２の端２２ａおよび第１の配線の端２１ａに向かい合う、あるいは対応する位置に配置されている。
【００２３】
したがって、図２に示したようにセンサーシート１〜３を並べると、第３のセンサーシート３の右縁１１の第２の配線２２の端２２ａおよび第１の配線の端２１ａが、第２のセンサーシート２の左縁１２の第３の配線２３の端２３ｂおよび第２の配線２２の端２２ｂにそれぞれ接続される。同様に、第２のセンサーシート２の右縁１１の第２の配線２２の端２２ａおよび第１の配線の端２１ａが、第１のセンサーシート１の左縁１２の第３の配線２３の端２３ｂおよび第２の配線２２の端２２ｂにそれぞれ接続される。その結果、第３のセンサーシート３のデータ入出力領域１５の出力Ｐ３は、第３のセンサーシート３の第１の配線２１、第２のセンサーシート２の拡張用の配線（第２の配線）２２、さらに、第１のセンサーシート１の拡張用の配線（第３の配線）２３を介して制御ユニット５１に出力される。
【００２４】
第２のセンサーシート２のデータ入出力領域１５の出力Ｐ２は、第２のセンサーシート２の第１の配線２１、さらに、第１のセンサーシート１の拡張用の配線（第２の配線）２２を介して制御ユニット５１に出力される。さらに、第１のセンサーシート１のデータ入出力領域１５の出力Ｐ１は第１のセンサーシート１の第１の配線２１を介して制御ユニット５１に供給される。このため、本例の生体情報検出装置５０では、３枚のセンサーシート１〜３を接続するだけで、各々のセンサーシート１〜３の出力Ｐ１、Ｐ２およびＰ３をセンサーシート１に取り付けられた共通の制御ユニット５１で取り込むことができる。したがって、シートアセンブル４からは、あたかも１枚のセンサーシートのように各々の圧力センサ５からデータを制御ユニット５１で取得することができる。
【００２５】
なお、第２のセンサーシート２の第３の配線２３と、第３のセンサーシート３の第２の配線２２および第３の配線２３は、どこにも接続されない不使用な配線となっている。しかしながら、上述したように、各々のセンサーシート１〜３に右端１１から左端１２に延びた同一フォーマットの拡張用の配線２２および２３を設けることにより、配線材を用いなくても、複数のセンサーシートをきわめて簡単に接続することができる。
【００２６】
このように、シートアセンブル４を構成する各々のセンサーシート１〜３には、圧力センサ５が配置されたデータ入出力領域１５と、この上側１５ａに配置された配線領域１６とがあり、配線領域１６に、データ入出力領域１５からシートの右縁１１に延びる第１の配線２１と、右縁１１から左縁１２に延びる第２の配線２２および第３の配線２３とが形成されている。このため、これらの拡張用の配線２２および２３により、２つまたは３つのセンサーシートを連接することができ、各々のセンサーシートからの出力を、これらの配線２２および２３を介して制御ユニット５１に供給することができる。
【００２７】
したがって、セミダブルベッドに適した大きなサイズの生体情報検出装置５０を、セミダブルベッドに対応したサイズの単一のセンサーシートから形成するのではなく、シングルベッドサイズ、あるいはこれより遥かに小さなサイズのセンサーシートをつなぎ合わせて形成することができる。このため、ダブルベッドに適したサイズの大きな生体情報検出装置５０を製造するにしても、小さなセンサーシートを製造できる程度の設備があれば良く、低コストで製造できる。また、連結するセンサーシートの数を２枚にすれば、シートアセンブル４のサイズをほぼ２／３にしてシングルベッドに対応した生体情報検出装置５０を提供することができる。さらに１枚のセンサーシート１で生体情報検出装置５０を構成することも可能であり、いっそう小さなサイズのベッド或いは被験者の体格や用途に適したものを提供できる。
【００２８】
また、センサーシートを製造する際の歩留まりに関しても、小さなサイズのセンサーシートであれば、大きなサイズのセンサーシートを製造するのに比べて含まれるセンサあるいはエレメントの数が削減されるので、歩留まりは向上する。この点からも製造コストを下げることができる。したがって、本例のセンサーシートを用いることにより、様々なサイズのデータ入出力装置を低価格で提供することが可能となり、病院や家庭などで手軽に使える生体情報検出装置を提供することが可能となる。
【００２９】
また、本例のセンサーシート１、２および３では、拡張用の配線２２および２３を第１の配線２１を挟んでデータ入出力領域１５の反対側に配置することにより、全ての配線が交差することなく平面に並べて配置している。このため、センサーシートに電極パターンを印刷することにより全ての配線を形成することが可能である。また、配線による凹凸も少なく、配線部分あるいは領域を非常に薄くできる。このため、センサーシートの配線の部分であっても薄くすることができ、全体が薄く、ベッドなどの寝具に敷設しても被験者６０が違和感を感じにくく、快適に過ごせる生体情報検出装置５０を提供できる。また、これらの拡張用配線あるいは配線群２２〜２３を形成する配線パターンは、圧力センサ５や、圧力センサ５と第１の配線２１とを接続する配線パターンを形成するときに同時に作り込むことができるので、製造工数が増えることもなく、この点でも低コストとなる。
【００３０】
また、第１の配線２１の右端２１ａが第２の配線２２の左端２２ｂと向き合い、第２の配線２２の右端２２ａが第３の配線２３の左端２３ｂと向き合うように配線２２および２３をシート材１０にレイアウトしている。したがって、図５および図６に示すように、これらの配線間を真っ直に延びたフレキシブルケーブル３０で接続することができる。第１のセンサーシート１の第２の配線２２の左端２２ｂと、第２のセンサーシート２の第１の配線２１の右端２１ａとの接続例をあげると、第２の配線２２および第１の配線２１はいずれも、複数の圧電センサ５に接続された導線３１と、この導線３１を覆っている被覆３２とを備えているので、それぞれの配線の端部２１ａおよび２２ｂにおいては、下方側の被覆３２を除去し、電極３３が予め取り付けられている。したがって、電極３３をフレキシブルケーブル３０の電極３７に導電性接着または溶着により接続することによりシート同士を簡単に接続できる。
【００３１】
拡張用の配線２２および２３を直線的に配置し、接続する際に、フレキシブルケーブルを曲げたり、接続専用に斜めになった配線部材を用いて接続することも可能である。しかしながら、フレキシブルケーブルを曲げると耐久性が劣化するし、センサーシートを接続する部分で大きな凹凸ができるので、被験者の寝心地を損ねる要因となる。配線の端末２１ａおよび２２ｂの間を広げれば、その心配はなくなるが、逆に、これらの配線の端末間が長くなるので、ケーブルがよじれたり、重なったりする可能性があり、上記の問題を解決できない。これに対し、本例のセンサーシート１〜３では、シート材１０の内部で斜めに配線２２および２３をアレンジしているので、特に、プリント配線を用いれば凹凸が生ずるといった問題はなく、劣化の問題も防止できる。そして、配線の端末間は直線で結べるので、端末間の距離を最小限にすることが可能であり、配線の接続部分が重なったりして不快感の要因となったり、接続部分が耐久性が劣化する要因となることを未然に防止できる。
【００３２】
さらに、各々のセンサーシート１、２および３においては、第１の縁１１および第２の縁１２には対応する位置に内側に窪んだ部分２８が設けられている。このため、図１に示すように、この部分２８を通る一点鎖線Ｂで示す位置で容易に折り曲げることが可能であり、収納時および搬送時に個々のセンサーシート１〜３あるいはシートアセンブル４を傷つけることなくコンパクトに纏めることができる。また、シートアセンブル４の状態であると、各々のセンサーシート１、２および３は少しの間隔６４を設けてベースシート６１に貼り付けられているので、一点鎖線Ａで示すそれぞれのセンサーシートの境界の位置で容易にセンサーシートを傷つけずに折り曲げることが可能である。
【００３３】
なお、以上では、３枚のセンサーシートを連結した例を説明したが、上述したように２枚のセンサシートでも１枚のセンサーシートでも適当な大きさのシートアセンブル４を備えた生体情報検出装置５０を提供できる。さらに、４枚以上のセンサーシートを接続することも可能であるが、その場合は、拡張用の配線を接続したいセンサーシートの最大数の拡張用の配線を予めシート材に用意しておく必要がある。また、配線領域１６とデータ入出力領域１５の配置関係は、上記に限定されずに、配線領域１６をデータ入出力領域１５の下縁、左縁または右縁に配置することも可能である。左縁または右縁に配置して、第２の配線２２をベッドの長さ方向に延ばせばセンサーシートをその長さ方向に連結することが可能である。
【００３４】
また、データ入出力領域１５に圧力センサを配置したセンサーシートに基づき本発明を説明しているが、データ入出領域には圧力センサ以外のセンサを配置することも可能である。さらには、ＥＬなどのフレキシブルな映像素子を並べることも可能であり、拡張性があるフレキシブルな画面を提供することも可能となる。
【００３５】
【発明の効果】
以上に説明したように、本発明においては、データ入出力領域の少なくともいずれか一方の縁に沿って配線領域を配置し、データ入出力領域に接続された第１の配線を第１の縁に延ばすと共に、データ入出力領域に接続されない拡張用の第２の配線を第１の縁から第２の縁に延ばしている。この第２の配線を設けることにより、複数のデータ入出力ユニットを数珠繋ぎで接続して、多種多様なサイズのデータ入出力装置を自由に製造できると共に、サイズ毎のデータ入出力装置のコストを非常に低く抑えることができる。
【図面の簡単な説明】
【図１】本発明にかかるセンサーシート（データ入出力ユニット）を用いた生体情報検出装置（データ入出力装置）の概要を示す図である。
【図２】図１に示す生体情報検出装置の平面図である。
【図３】図１に示す生体情報検出装置の断面図である。
【図４】センサーシートを平面的に示す図である。
【図５】第１のセンサーシートの第２の配線と第２のセンサーシートの第１の配線との接続例を示す斜視図である。
【図６】図５に示す接続状態を示す断面図である。
【符号の説明】
１、２、３　　センサーシート
４　　シートアセンブル
５　　圧電センサ
１０　　シート材
１１　　第１の縁
１２　　第２の縁
１５　　データ入出力領域
１６　　配線領域
２１　　第１の配線
２２　　第２の配線
２３　　第３の配線
３０　　フレキシブルケーブル
５０　　生体情報検出装置
５１　　制御ユニット
【図１】
2004024726.tif 000003
【図２】
2004024726.tif 000004
【図３】
2004024726.tif 000005
【図４】
2004024726.tif 000006
【図５】
2004024726.tif 000007
【図６】
2004024726.tif 000008